(57)【特許請求の範囲】
【請求項１】
エアゾール容器の肩カバーに着脱自在に連係保持され、該容器のノズルヘッドをその内側に格納するオーバーキャップであって、
前記ノズルヘッドの頭頂面に間隔を隔てて位置する天壁と、この天壁の縁部に一体的につながり該ノズルヘッドを取り囲んでその内側に格納空間を区画形成する周壁からなり、
前記天壁に、その壁面に沿う反転、変位によりノズルヘッドの頭頂面に当接させて該ノズルヘッドの押し込み代を確保する少なくとも１本の押圧片を設け、
前記押圧片は、天壁に設けられた少なくとも１つの固定端と、この固定端につながり該固定端を起点に反転変位可能なブリッヂ部材からなることを特徴とするエアゾール容器用オーバーキャップ。
【請求項２】
前記肩カバーは、前記周壁に着脱自在に連係し、該肩カバーの連結部位を起点とする傾動にて該周壁との連係力を増強せしめる係止片を有する、請求項１に記載のエアゾール容器用オーバーキャップ。
【発明の詳細な説明】
【技術分野】
【０００１】
本発明は、エアゾール容器用のオーバーキャップに関するものであり、使用済みエアゾール容器の内部に残留するガスを全て排出してより安全な廃棄を実現しようとするものである。
【背景技術】
【０００２】
エアゾール容器は、容器内の内容物を使い切った後においてもその内部には内容物を噴出させるガスが残留しており、容器の廃棄に際しては、安全性の観点から容器に孔を開けて残留するガスを全て放出するのが普通であった。
【０００３】
ところで、かかる孔開け作業は手間がかかることから、残留ガスを放出することなしに廃棄される場合もあって、その点に関する改善の余地が残されていた。
【０００４】
エアゾール容器のガス抜きに係わる先行技術としては、ガス抜きモード設定用片部を指で押し下げることにより連結部を切り離し、ステム作動部の凹状面にステムの上部分を当接させるように該ガス抜きモード設定用片部を折り曲げたのちにキャップの凸状部とマウンテンカップの環状凹部とを係合させてキャップをエアゾール容器に取り付ける仕組みのものが提案されている（例えば、特許文献１参照）。
【特許文献１】特開2004-168356号公報
【０００５】
ところで、上記のような従来のキャップは、商品の流通過程で付加される不用意な力によってガス抜き設定用片部がキャップの内方へ押し込まれてしまうことも懸念されおり、また、ガス抜きに係る作業が煩雑になりがちであって構造の簡素化、操作手順の簡略化が望まれていた。
【発明の開示】
【発明が解決しようとする課題】
【０００６】
本発明の課題は、簡単な操作で容器内の残留ガスを確実に放出させることができる構造の簡素化された新規なエアゾール容器用オーバーキャップを提案するところにある。
【課題を解決するための手段】
【０００７】
本発明は、エアゾール容器の肩カバーに着脱自在に連係保持され、該容器のノズルヘッドを内側に格納するオーバーキャップであって、
前記ノズルヘッドの頭頂面に間隔を隔てて位置する天壁と、この天壁の縁部に一体的につながり該ノズルヘッドを取り囲んでその内側に格納空間を区画形成する周壁からなり、
前記天壁に、その壁面に沿う反転変位によりノズルヘッドの頭頂面に当接させて該ノズルヘッドの押し込み代を確保する少なくとも１本の押圧片を設け、
前記押圧片は、天壁に設けられた少なくとも１つの固定端と、この固定端につながり該固定端を起点に反転変位可能なブリッヂ部材からなることを特徴とするエアゾール容器用オーバーキャップである。
【０００９】
また、前記肩カバーには、前記周壁に着脱自在に連係し、該肩カバーの連結部位を起点とする傾動にて該周壁との連係力を増強せしめる係止片を設けるのが望ましい。
【発明の効果】
【００１０】
天壁に設けた押圧片を反転、変位させるとノズルヘッドの押し込み代を確保することができ、オーバーキャップを肩カバーに装着した場合に該押圧片によりノズルヘッドが押し込まれた状態に維持される。
【００１１】
押圧片は天壁において一体成形できるので、オーバーキャップ自体は単一部材にて構成できる。
【発明を実施するための最良の形態】
【００１２】
以下、図面を用いて本発明をより具体的に説明する。
図１は本発明に従うエアゾール容器用オーバーキャップの実施の形態を示した図であり、図２は図１の平面を示した図である（オーバーキャップを取りはずした状態）。
【００１３】
図における１はエアゾール容器、２はエアゾール容器１のステム1aに連係して該容器１内の内容物を噴出させるノズルヘッド、３はエアゾール容器１のマウンティングカップ1bに環状リングrを介して係止された肩カバーである。
【００１４】
また、４は肩カバー３に着脱自在に連係保持され、ノズルヘッド２をその内側に格納するオーバーキャップである。このオーバーキャップ４はノズルヘッド２の頭頂面2aに間隔ｔを隔てて位置する天壁4aと、この天壁4aの縁部に一体的につながりノズルヘッド２を取り囲んでその内側に格納空間ｍを区画形成する周壁4bからなる。
【００１５】
また、５は天壁4aに設けられた押圧片である。この押圧片５は図２の仮想線にてその配置状況を示すように、ノズルヘッド２の外側で該ノズルヘッド２を挟み込むように２つ設けられており、天壁4aに接続する固定端5aと、この固定端5aを起点に壁面に沿って反転変位可能なブリッヂ部材5bからなり、該押圧片５の反転変位によりノズルヘッド２の頭頂面2aに当接させて該ノズルヘッド２の押し込み代を確保する。
【００１６】
さらに、6a、6bは肩カバー３の縁部の対向位置に起立姿勢でもって設けられた一対の係止片である。この係止片6a、6bは図３に示す如く、周壁4bの２箇所において着脱自在に連係（アンダーカット係合など）するもので、肩カバー３の連結部位Ｃを起点にして図４に示すように傾動させる（この例では外向き、すなわち周壁4b側への傾動させる）ことにより周壁4bとの連係力を増強させることができるようになっている。
【００１７】
押圧片５のブリッヂ部材5bを図５に示すようにそれぞれ反転変位させたのちオーバーキャップを被せると、図６の如く該ブリッヂ部材5bがノズルヘッド２の頭頂面2aに接触して該ノズルヘッド２を押し込むこととなり、この押し込み状態はオーバーキャップが肩カバー３に係止されている限り継続されるため、容器内の残留ガスは全て排出される。
【００１８】
残留ガスの排出は周壁4bと肩カバー３の隙間から排出されることになるが、ガスの圧力が高い場合には格納空間ｍのオーバーキャップが外れてしまう場合もある。オーバーキャップの外れが懸念される場合には、係止片6a、6bを前述したように傾動させることによって対処する。
【００１９】
残留ガスは、周壁4bあるいは天壁4aに窓孔を設け、この窓孔を通すことによって排出することができるが、周壁4bの内壁面あるいは肩カバー３の外表面に予め外界につながる縦溝を設けておきこの縦溝を通して残留ガスを排出してもよく、残留ガスの排出経路に関してはとくに限定されない。
【００２０】
押圧片５は、両端を固定してその間でブリッヂ部材5bを反転変位させる場合を例として示したが、変位後の形状を一定に保ことができるものであれば一端を固定し他端を自由端としたものであってもよい。
【産業上の利用可能性】
【００２１】
押圧片を反転、変位させてノズルヘッドを格納すべく周壁を肩カバーに係止するだけの簡単な動作で容器内に残留するガスを全て排出できる構造の簡素化されたオーバーキャップが提供できる。
【図面の簡単な説明】
【００２２】
【図１】本発明に従うオーバーキャップの実施の形態を示した図である。
【図２】図１の平面を示した図である。
【図３】図１に示した肩カバーの要部の拡大断面図である。
【図４】図３の変形例を示した図である。
【図５】押圧片を反転、変位させた状態を示した図である。
【図６】残留ガスの排出状況を示した図である。
【符号の説明】
【００２３】
１  エアゾール容器
1a  ステム
1b  マウンティングカップ
２  ノズルヘッド
３  肩カバー
４  オーバーキャップ
4a  天壁
4b  周壁
５  押圧片
5a  固定端
5b  ブリッヂ部材
6a  係止片
6b  係止片
ｒ  環状リング
ｍ  格納空間
【図１】
0004795035.tif 000002
【図２】
0004795035.tif 000003
【図３】
0004795035.tif 000004
【図４】
0004795035.tif 000005
【図５】
0004795035.tif 000006
【図６】
0004795035.tif 000007